(57)【要約】【課題】簡略な構成で小型化が可能であり、加熱乾燥時に悪臭を生じることがなく、洗浄作業が簡単にできて家庭等の比較的少量の生ゴミを乾燥するのに適した生ゴミ乾燥処理装置を提供する。【解決手段】ゴミ容器９と、開閉可能な上部蓋４を備えてゴミ容器９の収容・取出しが可能な乾燥装置本体１と、乾燥装置本体１に備えてゴミ容器９の生ゴミ８を加熱するヒータ７と、乾燥装置本体１内に備えて乾燥装置本体１内の空気をゴミ容器９内に向けて吹付ける吹付けファン１２と、乾燥装置本体１内に連通口１３を介して一端が連通し内部に脱臭剤１７を備えた脱臭容器本体１５と、脱臭容器本体１５の他端内部に備えて乾燥装置本体１内の空気を連通口１３から脱臭容器本体１５内に吸引し外部に排出する吸引ファン１８とを備える。【選択図】        図２
2004358306.tif 000002
【特許請求の範囲】
【請求項１】
ゴミ容器と、開閉可能な上部蓋を備えて前記ゴミ容器の収容・取出しが可能な乾燥装置本体と、該乾燥装置本体に備えて前記ゴミ容器の生ゴミを加熱するヒータと、前記乾燥装置本体内に備えて該乾燥装置本体内の空気を前記ゴミ容器内に向けて吹付ける吹付けファンと、前記乾燥装置本体内に連通口を介して一端が連通し内部に脱臭剤を備えた脱臭容器本体と、該脱臭容器本体の他端内部に備えて前記乾燥装置本体内の空気を連通口から脱臭容器本体内に吸引し外部に排出する吸引ファンと、を備えたことを特徴とする生ゴミ乾燥処理装置。
【請求項２】
前記脱臭容器本体は前記乾燥装置本体に対し着脱可能に取付けられていることを特徴とする請求項１に記載の生ゴミ乾燥処理装置。
【請求項３】
前記脱臭容器本体は脱臭剤の着脱を可能にする開閉扉を備えていることを特徴とする請求項１又は２に記載の生ゴミ乾燥処理装置。
【請求項４】
前記脱臭剤はハニカム脱臭剤であることを特徴とする請求項１〜３のいずれか１つに記載の生ゴミ乾燥処理装置。
【請求項５】
ゴミ容器は取っ手を有する鍋状容器であることを特徴とする請求項１に記載の生ゴミ乾燥処理装置。
【請求項６】
前記ヒータと吹付けファンと吸引ファンの駆動を設定制御できる運転操作部を備えていることを特徴とする請求項１に記載の生ゴミ乾燥処理装置。
【発明の詳細な説明】
【０００１】
【発明の属する技術分野】
本発明は家庭等から出る比較的少量の生ゴミを乾燥して減量化するのに適した生ゴミ乾燥処理装置に関するものである。
【０００２】
【従来の技術】
ゴミ廃棄物を焼却処理する際に、生ゴミが焼却炉に入ると燃焼温度を下げ、このためにダイオキシンを生じさせることが知られている。このため、家庭等から出る生ゴミを乾燥させて減量化すると共に、燃焼を容易にすることによって焼却炉の燃焼温度の低下を防止するために生ゴミを乾燥させるようにした生ゴミ乾燥処理装置が種々提案されている。
【０００３】
このような生ゴミ乾燥処理装置としては、処理槽内で生ゴミをスクレーパにより攪拌しながら加熱し、この加熱によって前記生ゴミから発生した水蒸気を凝縮させるとともに、前記水蒸気の一部を強制的に排気し、その排気途上の前記水蒸気を高温加熱雰囲気中に導いて高温加熱又は燃焼させ、前記水蒸気の高温加熱又は燃焼によって無臭化するとともに前記処理槽側を負圧化することで、臭気漏れを防止するようにしたものがある（例えば、特許文献１参照）。
【０００４】
また、生ゴミを収納し脱水する回転式の脱水槽と、その脱水槽内の底部に生ゴミを粉砕する回転式の粉砕カッターと、脱水槽の脱水穴にフィルターを設け、その脱水穴に設けたフィルターの外側に、フィルターを洗浄し、かつ、生ゴミを乾燥するための空気を噴出させるエアノズルを設ける。さらに乾燥した粉末状の生ゴミを吸引するための吸引ノズルと、吸引した生ゴミを収納する生ゴミ収納袋を設けたものがある（例えば、特許文献２参照）。
【０００５】
【特許文献１】
特開２００１−３１１５１３号公報
【特許文献２】
特開２００１−９６２６６号公報
【０００６】
【発明が解決しようとする課題】
しかし、上記特許文献１及び２の生ゴミ乾燥処理装置は、何れも比較的大量の生ゴミを処理するものに関しており、このように大量の生ゴミを効果的に乾燥するためにスクレーパや粉砕カッターを備えているため、構成が大型且つ複雑となっている。従って、家庭等から出る少量の生ゴミを処理するには効率が悪く適していないと共に、大型であるために設置スペース上の問題も有している。
【０００７】
更に、生ゴミを乾燥処理する際には悪臭が発生する問題がある。このため、前記特許文献１では、ガスバーナによる高温加熱又は燃焼によって無臭化しているが、このようなガスバーナを備えた場合には更に構造が複雑化する問題がある。また、ガスバーナによる燃焼のためには、ガスの供給源が必要であり、例えば都市ガス等を用いた場合には都市ガス配管に生ゴミ乾燥処理装置を接続する必要があるために更に構造が複雑になると共に、生ゴミ乾燥処理装置の設置位置を自由に変更できない問題がある。
【０００８】
また、前記特許文献２では、生ゴミを加熱空気で乾燥する段階において特有の悪臭を発するが、この臭いが除去できない問題がある。このために、特許文献２の生ゴミ乾燥処理装置は室内に設置することは困難であり、このために屋外に設置せざるを得ないが、この場合には生ゴミを屋外の生ゴミ乾燥処理装置まで運んで投入する必要がある。また、乾燥した後の粉末状の生ゴミを吸引ノズルで吸引し、吸引した生ゴミを生ゴミ収納袋に収納するようにしているために、吸引ノズル及び生ゴミ収納袋を備える必要があり構造が更に複雑になると共に取扱い操作が面倒であるという問題がある。
【０００９】
一方、生ゴミ乾燥処理装置の内部は生ゴミと蒸気を含んだ空気により汚れる問題があり、この汚れが原因となって悪臭を発することが考えられる。このために、生ゴミ乾燥処理装置の内部は定期的に洗浄する必要がある。しかし、前記特許文献１及び２に示した生ゴミ乾燥処理装置では、容器の内部にスクレーパ或いは粉砕カッターが備えられているために、洗浄作業がやり難く洗浄に時間が掛ると共に、スクレーパ或いは粉砕カッターによって手を傷つける可能性もある。
【００１０】
また、従来では、構成が簡略・小型で効率的な加熱乾燥ができ、且つ洗浄等が簡単にでき、しかも加熱乾燥時に悪臭を生じることがなく、家庭の台所等に容易に設置できるような生ゴミ乾燥処理装置は存在しなかった。
【００１１】
本発明は、上記従来の問題点に鑑みてなしたもので、簡略な構成にて小型化が可能であり、加熱乾燥時に悪臭を生じることがなく、洗浄作業が簡単にできて家庭等の比較的少量の生ゴミを乾燥するのに適した生ゴミ乾燥処理装置を提供しようとするものである。
【００１２】
【課題を解決するための手段】
請求項１に記載の発明は、ゴミ容器と、開閉可能な上部蓋を備えて前記ゴミ容器の収容・取出しが可能な乾燥装置本体と、該乾燥装置本体に備えて前記ゴミ容器の生ゴミを加熱するヒータと、前記乾燥装置本体内に備えて該乾燥装置本体内の空気を前記ゴミ容器内に向けて吹付ける吹付けファンと、前記乾燥装置本体内に連通口を介して一端が連通し内部に脱臭剤を備えた脱臭容器本体と、該脱臭容器本体の他端内部に備えて前記乾燥装置本体内の空気を連通口から脱臭容器本体内に吸引し外部に排出する吸引ファンと、を備えたことを特徴とする生ゴミ乾燥処理装置、に係るものである。
【００１３】
請求項２に記載の発明は、前記脱臭容器本体は前記乾燥装置本体に対し着脱可能に取付けられていることを特徴とする請求項１に記載の生ゴミ乾燥処理装置、に係るものである。
【００１４】
請求項３に記載の発明は、前記脱臭容器本体は脱臭剤の着脱を可能にする開閉扉を備えていることを特徴とする請求項１又は２に記載の生ゴミ乾燥処理装置、に係るものである。
【００１５】
請求項４に記載の発明は、前記脱臭剤はハニカム脱臭剤であることを特徴とする請求項１〜３のいずれか１つに記載の生ゴミ乾燥処理装置、に係るものである。
【００１６】
請求項５に記載の発明は、ゴミ容器は取っ手を有する鍋状容器であることを特徴とする請求項１に記載の生ゴミ乾燥処理装置、に係るものである。
【００１７】
請求項６に記載の発明は、前記ヒータと吹付けファンと吸引ファンの駆動を設定制御できる運転操作部を備えていることを特徴とする請求項１に記載の生ゴミ乾燥処理装置、に係るものである。
【００１８】
上記手段によれば、以下のように作用する。
【００１９】
ヒータによりゴミ容器を加熱してゴミ容器内の生ゴミを加熱し、同時に吹付けファンによって前記加熱された空気をゴミ容器内の生ゴミに向けて吹付けて循環させるようにしているので、生ゴミの水分の蒸発が促進され、乾燥が早められる。
【００２０】
乾燥装置本体内で循環して加熱乾燥する空気の一部を、吸引ファンにより連通口を通して脱臭容器本体内に吸引し、脱臭剤により脱臭した後、外部に排気するようにしているので、生ゴミの加熱乾燥時に生じる悪臭が生ゴミ乾燥処理装置の外部に排出されることを確実に防止することができ、よって台所等の室内に生ゴミ乾燥処理装置を設置することが可能になる。
【００２１】
更に、生ゴミ乾燥処理装置は小型軽量でコンパクトな構成であるため、台所等の狭いスペースに容易に設置することができ、しかも設置場所を容易に変更することができる。
【００２２】
また、前記したように乾燥した生ゴミを廃棄したあとのゴミ容器は、水道等により容易に洗浄することができ、これによりゴミ容器からの臭いの発生を防止することができる。
【００２３】
生ゴミをゴミ容器に入れて処理するために、乾燥装置本体の内部が汚れることは殆どないが、乾燥装置本体の内部が汚れた場合にも容易に汚れをふき取ることができる。
【００２４】
更に、脱臭容器本体の内部が汚れた場合にも、着脱可能な脱臭容器本体を乾燥装置本体から取外すことにより、洗浄或いはふき取り等によって脱臭容器本体内部の汚れを除去することができる。
【００２５】
脱臭剤を交換可能にしているので、脱臭剤の性能が低下した場合には新しい脱臭剤と容易に交換して、生ゴミ乾燥処理装置を長期間に亘って安定して使用することができる。
【００２６】
【発明の実施の形態】
以下、本発明の好適な実施の形態を図面に基づいて説明する。
【００２７】
図１は本発明の生ゴミ乾燥処理装置の形態の一例を示す平面図、図２は図１をＩＩ−ＩＩ方向から見た正面断面図、図３は図２をＩＩＩ−ＩＩＩ方向から見た側面図である。
【００２８】
図１〜図３において、１は上面板１ａに開口２が形成された乾燥装置本体であり、該乾燥装置本体１の上側後部（図１では上部）にはヒンジ３を介して回動する上部蓋４が取付けてあり、該上部蓋４は図１の開の状態と図２、図３の閉の状態とに開口２を開閉できる。前記乾燥装置本体１の上面板１ａの前部（図１では下部）には、上部蓋４の遊端側に設けたフック５が契合する係止部６を設けている。前記上面板１ａは乾燥装置本体１に対して着脱可能に取付けられている。
【００２９】
前記乾燥装置本体１の内底部には電気式のヒータ７が設けてあり、図２に示すように内部に生ゴミ８を収容したゴミ容器９が前記ヒータ７上に載置されるようになっている。ゴミ容器９は回動可能な取っ手１０を有する鍋状容器であり、ゴミ容器９は取っ手１０を把持して前記開口２から乾燥装置本体１内に挿入してヒータ７上に設置したり、ヒータ７上から外部に取出せるようになっている。前記上面板１ａの開口２の下部には乾燥装置本体１の内底部まで延びる仕切板１１が開口２に沿って固定されており、前記仕切板１１によりゴミ容器９がヒータ７上から横方向に大きく位置ずれするのを防止している。更に、仕切板１１の下部には通気穴１１ａが設けてあり、該通気穴１１ａによって仕切板１１の内側と外側とは下部で連通している。
【００３０】
前記上部蓋４の内面である下面には、前記乾燥装置本体１内の空気を前記ゴミ容器９内に向けて吹付ける吹付けファン１２が設けてあり、吹付けファン１２は、前記ヒータ７の加熱によって昇温された空気をゴミ容器９内の生ゴミ８に向けて吹付けて循環させことにより生ゴミ８の水分の蒸発を促進し、乾燥を早めるようにしている。前記吹付けファン１２は外周に設けた多孔板１２ａと、吹出部に設けた多孔板１２ｂとにより包囲されている。
【００３１】
一方、前記乾燥装置本体１の後部壁（図１の上部壁）には、乾燥装置本体１の外部に連通する連通口１３が設けられている。また、前記乾燥装置本体１の上部の任意の位置（図２では右側壁）には、乾燥装置本体１の外部と仕切板１１の内部との間を連通する空気取入口１４を設けている。図１、図２では管状の空気取入口１４を上面板１ａの下部に一体に取付けている。
【００３２】
乾燥装置本体１の側部（図２では左側壁）には、脱臭容器本体１５が設置されている。脱臭容器本体１５は、図１に示す如く平面形状が略Ｌ状に曲った形状を有しており、一端の曲り部１５ａの内側を前記乾燥装置本体１の後部壁に当接させることによりその内部を前記連通口１３に連通させた状態で固定ネジ１６により乾燥装置本体１の側面に固定している。
【００３３】
脱臭容器本体１５の内部における前記連通口１３に近い上流側には、脱臭剤１７が設置されている。更に、該脱臭剤１７の下流側には空気を吸引する吸引ファン１８が設けてあり、該吸引ファン１８の設置位置における脱臭容器本体１５の左側壁には排気穴１９が設けてあり、吸引ファン１８によって脱臭剤１７を介して吸引した空気は排気穴１９から外部に排出されるようになっている。図中２０は脱臭剤１７から吸引ファン１８に導かれる空気を案内するための案内板である。
【００３４】
前記脱臭剤１７は、図４に示す如く、空気を通して脱臭を行う多数の細い開口２１が形成された例えば活性炭・金属触媒からなるハニカム状脱臭剤からなっており、該ハニカム状脱臭剤の外周は耐熱性の弾性部材２２（例えば発泡性弾性部材）によって包囲された構成を有している。前記脱臭剤１７には種々の形式のものを用いることができるが、長期に亘って安定した脱臭性能が維持でき、しかも容易に交換できる形態を有していることが好ましい。
【００３５】
更に、前記脱臭容器本体１５の側面（左側壁）には、図３に示す如く脱臭剤１７を交換するための開閉扉２４が蝶番２３により開閉可能に設けてあり、脱臭剤１７は開閉扉２４を開けることによりガイド２５に沿わせて脱臭容器本体１５内に挿入設置したり、脱臭容器本体１５内から取出せるようになっている。前記開閉扉２４は、脱臭剤１７を設置して閉塞した後ビス２６にて固定できるようになっている。開閉扉２４は蝶番２３を備えることなく取外し可能になっていて、一端側のストッパを脱臭容器本体１５に係合し、他端側をビス２６で固定するようになっていてもよい。
【００３６】
前記脱臭容器本体１５の下部には、脱臭容器本体１５内に水滴が発生した場合に、その水を底部の所要位置に設けたドレン孔２７から落下させて回収するためのドレン受２８が引出し可能に備えられている。
【００３７】
また、前記乾燥装置本体１の上面板１ａの前部（図１では下側部）には、前記ヒータ７と吹付けファン１２と吸引ファン１８の駆動をボタン操作で設定制御するための運転操作部２９を備えている。また乾燥装置本体１の内底部には温度センサ３０を設けている。運転操作部２９は、運転の入／切ボタンを押すと、前記ヒータ７と吹付けファン１２と吸引ファン１８を自動的に駆動し、設定された運転時間、例えば６時間だけ自動運転を行うようになっており、設定された運転時間が経過すると自動的に停止するようになっている。この停止時は、ヒータ７が停止しても吹付けファン１２と吸引ファン１８は所定時間だけ駆動し続けるクーリングを実施するようになっており、温度センサ３０による検出温度が所定温度に低下した後に吹付けファン１２と吸引ファン１８が停止されるようになっている。前記運転時間は任意に変更できるようになっている。また、ヒータ７は生ゴミ８が乾燥しても出火することのない安全な設定された温度でゴミ容器９を加熱するようになっている。
【００３８】
以下に、上記形態例の作用を説明する。
【００３９】
生ゴミ乾燥処理装置を使用するには、図１、図５に示すように乾燥装置本体１の上部蓋４をフック５を押すことによって開け、乾燥装置本体１の内部に設置されているゴミ容器９を取っ手１０を把持して外部に取出す。そして、流し台のゴミかご等の中の生ゴミを前記ゴミ容器９内に投入する。このとき、生ゴミはできるだけ水分を切った状態にすることが好ましく、また、投入する生ゴミ８の量は多過ぎない適当量とする。一方、生ゴミの乾燥はちょくちょく追加して処理するよりも１日の生ゴミをまとめて夜間に処理すようにした方が経済的である。
【００４０】
生ゴミを投入したゴミ容器９は、図１、図５に示す如く上部蓋４が開けられた乾燥装置本体１の開口２に挿入してヒータ７上に載置し、その後、上部蓋４を図２、図３の如く閉じる。
【００４１】
次に、運転操作部２９の入／切ボタンを押して生ゴミ乾燥処理装置を起動させる。運転操作部２９の入／切ボタンを操作して起動を開始すると、ヒータ７と吹付けファン１２と吸引ファン１８は設定された運転時間、例えば６時間だけ自動的に運転される。このとき、運転時間は生ゴミの種類や量に応じて運転操作部２９により任意に変更することができる。
【００４２】
前記ヒータ７が駆動されると、ゴミ容器９が加熱されてゴミ容器９に投入された生ゴミ８が加熱される。このとき、上部蓋４の下面に設けた吹付けファン１２が駆動されているので、吹付けファン１２は、前記ヒータ７の加熱によって昇温された空気をゴミ容器９内の生ゴミ８に向けて吹付けるように循環させる。この加熱空気の循環吹付けによって生ゴミ８は水分の蒸発が促進され乾燥が早められる。
【００４３】
一方、脱臭容器本体１５に備えられた吸引ファン１８の駆動により、連通口１３を介して乾燥装置本体１内で循環している空気の一部が脱臭容器本体１５内に吸引される。即ち、吹付けファン１２によって循環している加熱空気の一部は、前記吸引ファン１８の吸引により、仕切板１１とゴミ容器９との間を下方に流動した後、通気穴１１ａから仕切板１１と乾燥装置本体１の外壁との間を上方に流動して連通口１３に導かれる。このように、吹付けファン１２によって循環する空気の一部が、ゴミ容器の外周を下方に流動した後、通気穴１１ａから仕切板１１の外側を上昇して連通口１３に導かれることによって、乾燥装置本体１に局所的な高温部が発生するのを防止することができる。また、前記連通口１３から脱臭容器本体１５内に吸引される空気と同量の外部の空気が空気取入口１４を経て乾燥装置本体１の内部に取り入れられる。
【００４４】
前記乾燥装置本体１内の空気は生ゴミの加熱乾燥によって臭いを有しているが、この臭いを有する空気は、脱臭容器本体１５内に備えた図４の如く多数の細い開口２１を有するハニカム脱臭剤からなる脱臭剤１７を通る際に効果的に脱臭され、無臭となった空気は、吸引ファン１８に吸引されて側壁の排気穴１９から外部に排気される。
【００４５】
生ゴミ乾燥処理装置による生ゴミの乾燥処理が終了すると、図１、図５の如く上部蓋４を開けてゴミ容器９を外部に取出し、乾燥した生ゴミをゴミ袋等に投入する。
【００４６】
上記したように、乾燥装置本体１内で循環して加熱乾燥を行う空気の一部を、吸引ファン１８により連通口１３を通して脱臭容器本体１５内に吸引し、脱臭剤１７により脱臭した後で外部に排気するようにしたので、生ゴミの加熱乾燥時に生じる悪臭が生ゴミ乾燥処理装置の外部に排出されるのを確実に防止することができ、よって台所等の室内に生ゴミ乾燥処理装置を設置することが可能になる。しかも前記生ゴミ乾燥処理装置は小型軽量でコンパクトな構成であるため、台所等の狭いスペースに容易に設置することができ、しかも設置場所を容易に変更することができる。
【００４７】
また、前記したように乾燥した生ゴミを廃棄したあとのゴミ容器９は、水道等により容易に洗浄することができ、これにより臭いの発生を防止することができる。
【００４８】
また、生ゴミ８はゴミ容器９に入れて処理するために、乾燥装置本体１の内部は殆ど汚れることがないが、仕切板１１の内部や底面が汚れた場合には開口２から手を挿入して容易に汚れをふき取ることができる。また、仕切板１１の外部が汚れた場合には、上面板１ａが着脱可能に構成されているので、上面板１ａを取外すことによって内部の汚れをふき取ることができる。
【００４９】
更に、脱臭容器本体１５の内部が汚れた場合には、固定ネジ１６を外して脱臭容器本体１５を乾燥装置本体１から取外し、内部の脱臭剤１７を取出した後、洗浄或いはふき取り等によって汚れを除去することができる。
【００５０】
前記脱臭剤１７の性能が低下した場合には新しい脱臭剤１７と交換する。因みに脱臭剤１７は１日６時間の使用で略１年以上の使用が可能である。脱臭剤１７を交換するには、図２、図３に示すビス２６を外して開閉扉２４を開け、性能が低下した脱臭剤１７を脱臭容器本体１５から外部に取出し、新しい脱臭剤１７をガイド２５に沿って設置した後、ビス２６にて開閉扉２４を閉塞した状態に固定する。前記脱臭剤１７の外周は耐熱性の弾性部材２２で包囲しているので、脱臭剤１７を脱臭容器本体１５内に挿入設置する作業が容易であり、しかも脱臭容器本体１５内に設置したときに弾性部材２２により空気が脱臭剤１７をパスして流れるのを防止できる。
【００５１】
また、前記脱臭容器本体１５内に水滴が発生した場合には、ドレン孔２７から水滴が落下してドレン受２８に溜るようになっているので、ドレン受２８を引出して溜った水を捨てることができる。
【００５２】
尚、上記形態例では乾燥装置本体の後部壁に連通口を設けて、脱臭容器本体を乾燥装置本体の左側部に設けた場合について例示したが、連通口を任意の場所に設けて、脱臭容器本体を乾燥装置本体の右側壁、或いは後部壁、或いは前部壁に設けるようにしてもよいこと、乾燥装置本体の形状、脱臭容器本体の形状、脱臭剤の形状は種々選定し得ること、その他本発明の要旨を逸脱しない範囲内において種々変更を加え得ること、等は勿論である。
【００５３】
【発明の効果】
本発明によれば以下の如き優れた効果を奏し得る。
【００５４】
ヒータによりゴミ容器を加熱してゴミ容器内の生ゴミを加熱し、同時に吹付けファンによって前記加熱された空気をゴミ容器内の生ゴミに向けて吹付けて循環させるようにしているので、生ゴミの水分の蒸発が促進され、乾燥が早められる。
【００５５】
乾燥装置本体内で循環して加熱乾燥を行う空気の一部を、吸引ファンにより連通口を通して脱臭容器本体内に吸引し、脱臭剤により脱臭した後、外部に排気するようにしているので、生ゴミの加熱乾燥時に生じる悪臭が生ゴミ乾燥処理装置の外部に排出されることを確実に防止することができ、よって台所等の室内に生ゴミ乾燥処理装置を設置することが可能になる。
【００５６】
更に、生ゴミ乾燥処理装置は小型軽量でコンパクトな構成であるため、台所等の狭いスペースに容易に設置することができ、しかも設置場所を容易に変更することができる。
【００５７】
また、前記したように乾燥した生ゴミを廃棄したあとのゴミ容器は、水道等により容易に洗浄することができ、これによりゴミ容器からの臭いの発生を防止することができる。
【００５８】
生ゴミをゴミ容器に入れて処理するために、乾燥装置本体の内部が汚れることは殆どないが、乾燥装置本体の内部が汚れた場合にも容易に汚れをふき取ることができる。
【００５９】
更に、脱臭容器本体の内部が汚れた場合にも、着脱可能な脱臭容器本体を乾燥装置本体から取外すことにより、洗浄或いはふき取り等によって脱臭容器本体内部の汚れを除去することができる。
【００６０】
脱臭剤を交換可能にしているので、脱臭剤の性能が低下した場合には新しい脱臭剤と容易に交換して、生ゴミ乾燥処理装置を長期間に亘って安定して使用することができる。
【図面の簡単な説明】
【図１】本発明の生ゴミ乾燥処理装置の形態の一例を示す平面図である。
【図２】図１をＩＩ−ＩＩ方向から見た正面断面図である。
【図３】図２をＩＩＩ−ＩＩＩ方向から見た側面図である。
【図４】脱臭剤の一例を示す斜視図である。
【図５】本発明の生ゴミ乾燥処理装置の使用を説明するための斜視図である。
【符号の説明】
１    乾燥装置本体
４    上部蓋
７    ヒータ
８    生ゴミ
９    ゴミ容器
１０    取っ手
１２    吹付けファン
１３    連通口
１５    脱臭容器本体
１６    固定ネジ
１７    脱臭剤
１８    吸引ファン
１９    排気穴
２２    弾性部材
２４    開閉扉
２６    ビス
２９    運転操作部
【図１】
2004358306.tif 000003
【図２】
2004358306.tif 000004
【図３】
2004358306.tif 000005
【図４】
2004358306.tif 000006
【図５】
2004358306.tif 000007